(57)【特許請求の範囲】
【請求項１】
側板を有するパネル保持台と側板に取り付けるパネル保持具とを備え、側板は、パネル保持具を挿通する長孔を有しており、パネル保持具は、パネル保持板と操作ハンドルとを有しており、パネル保持板は、パネル保持板を貫通する筒状部材を有しており、筒状部材の一端側に係合部を有しており、操作ハンドルは、筒状部材に回転自在且つ摺動自在に挿通した引寄部材と、引寄部材の一端側に設けたロック部材と、引寄部材の他端側に起倒自在に軸支した持手部材とを有し、ロック部材は、筒状部材の係合部と係合する被係合部と長孔の短辺よりも長く張り出して長孔からの抜け出しを不能とする張り出し部を有しており、パネル保持板のロック部材をパネル保持台の側板の長孔に挿通し、操作ハンドルを回転して被係合部と係合部とを係合し、持手部材を倒したときに、ロック部材が他端側に引き寄せられてロック部材とパネル保持板とでパネル保持台の側板を挟着して固定することを特徴とする搬送パレットのパネル保持板のパネル保持台への取り付け方法。
【請求項２】
操作ハンドルは、ロック部材が引寄部材に沿って摺動自在に設けてあるとともに、ロック部材を他側に付勢する付勢部材が設けてあることを特徴とする請求項１記載の搬送パレットのパネル保持板のパネル保持台への取り付け方法。
【発明の詳細な説明】
【技術分野】
【０００１】
本発明は、パネルを搬送する搬送パレットのパネル保持板のパネル保持台への取り付け方法に関するものである。
【背景技術】
【０００２】
薄厚のパネルを積層して搬送するときに、図４（ａ）に示すような、パネル保持台３１の上に載せたパネル３４の四周端部を垂直に取り付けられたパネル保持板３２で保持して運ぶ搬送パレットがあった。
【発明の概要】
【発明が解決しようとする課題】
【０００３】
ところが、上記のようなパレットは、パネル保持台に、図４（ｂ）に示すような、パネル保持板３２を貫通する回転可能な治具３３を一体成形したものをパネル保持台３１の固定孔３５に挿入し、その挿通したネジ部３３ａの先端にナット３３ｂをかけ、治具３３を回転させることにより狭着している。この場合、経年変化により、がたつきが発生する可能性がある。そのがたつきが発生した場合、狭着が弱くなり、積載物を保持する力の低下や、最悪移動時等に伴う振動等により外れる場合がある。本発明は、上記課題を鑑みてなされたものであり、搬送中の振動などに影響されることなくパネルを確実に保持できる搬送パレットのパネル保持板のパネル保持台への取り付け方法を提供することにある。
【課題を解決するための手段】
【０００４】
本発明のうち請求項１記載の発明は、側板を有するパネル保持台と側板に取り付けるパネル保持具とを備え、側板は、パネル保持具を挿通する長孔を有しており、パネル保持具は、パネル保持板と操作ハンドルとを有しており、パネル保持板は、パネル保持板を貫通する筒状部材を有しており、筒状部材の一端側に係合部を有しており、操作ハンドルは、筒状部材に回転自在且つ摺動自在に挿通した引寄部材と、引寄部材の一端側に設けたロック部材と、引寄部材の他端側に起倒自在に軸支した持手部材とを有し、ロック部材は、筒状部材の係合部と係合する被係合部と長孔の短辺よりも長く張り出して長孔からの抜け出しを不能とする張り出し部を有しており、パネル保持板のロック部材をパネル保持台の側板の長孔に挿通し、操作ハンドルを回転して被係合部と係合部とを係合し、持手部材を倒したときに、ロック部材が他端側に引き寄せられてロック部材とパネル保持板とでパネル保持台の側板を挟着して固定することを特徴とする。
【０００５】
本発明のうち請求項２記載の発明では、操作ハンドルは、ロック部材が引寄部材に沿って摺動自在に設けてあるとともに、ロック部材を他側に付勢する付勢部材が設けてあることを特徴とする。
【発明の効果】
【０００６】
本発明のうち請求項１記載の発明によれば、持手部材を回転して引寄部材の被係合部が筒状部材の係合部に係合し、操作ハンドルの持手部材をパネル保持板側に倒すことにより、持手部材と引寄部材が他端側に引き寄せられる。これにより、操作ハンドルが回転不能に固定されるとともに、ロック部材とパネル保持板とでパネル保持台を挟着してパネル保持板が強固に固定される。したがって、パネルの搬送のときに伝わる揺れや振動によってパネル保持具が緩むことがなく、パネルを確実に保持した状態で搬送できる。また、持手部材を回して倒すだけの簡単な操作により、パネル保持台の側板にパネル保持板を取り付けられる。
【０００７】
本発明のうち請求項２記載の発明によれば、操作ハンドルを操作している間は、付勢部材によりロック部材を他側に常時付勢しているので、持手部材を回して被係合部が係合部に係合するまでの間、ロック部材が筒状部材に対して常に押圧されている。これにより、操作ハンドルが回転操作の途中でもフラつかず、また、被係合部が係合部に係合したときには、パネル保持具によるパネル保持板を挟着する前の段階のゆるみが解消されるので、パネル保持板のパネル保持台の側板に対する取り付けが容易になる。
【図面の簡単な説明】
【０００８】
【図１】（ａ）は、本実施による搬送パレットのパネル保持具とパネル保持板の一部を拡大して作動状態を示す側面図であり、（ｂ）は、引寄部材と筒状部材を拡大して示す縦断面図である。
【図２】（ａ）〜（ｅ）は、パネル保持具によりパネル押さえをパネル保持台に取り付けるときの手順を示す斜視図である。
【図３】（ａ）は、搬送パレットの平面図であり、（ｂ）は、（ａ）の側面図である。
【図４】従来の搬送パレットのパネル保持具であり、（ａ）は、側面図であり、（ｂ）は、冶具を拡大して示す側面図である。
【発明を実施するための形態】
【０００９】
以下に、図面に基づいて本実施による搬送パレットの実施の形態を説明する。
本実施による搬送パレットは、図３（ａ）（ｂ）のように、略水平に寝かせたパネル２０を複数枚重ねて載せるパネル保持台１と、パネル保持台１と係合するパネル保持具３とからなっている。
【００１０】
パネル保持具３は、操作ハンドル２２と、パネル保持板２とからなり、操作ハンドル２２は、パネル保持板２を挿通するロッド（引寄部材）１１と、パネル保持板２を挟んだロッド１１の一側に設けてあるロック部材１２と、ロッド１１の他側の端部に起倒自在に取り付けられる持手部材１３とからなっている。ロッド１１は、略水平方向に伸びており、長手方向の一端側には鍔部１４が設けてある。ロック部材１２は、ブロック状をなしており、ロッド１１の挿通方向とは直交する方向に張り出す張り出し部１２ｂを有しており、また、パネル保持板２側のほぼ中央には先端が半円弧状に突出した被係合部１２ａが設けてある。また、パネル保持台１の側板６の長孔９に挿通自在であるとともに、張り出し部１２ｂは、長孔９の短辺よりも長く張り出している。これにより、ロッド１１を長孔９に挿通したときにロック部材１２も一緒に挿通でき、さらに、操作ハンドル２２を水平軸回しすることで、ロック部材１２の張り出し部１２ｂが側板６における長孔９の周囲に掛かって抜け出さなくなる。また、ロック部材１２と鍔部１４の間には、皿ばね（付勢部材）１５がロッド１１を挿通する状態で取り付けてある。持手部材１３は、角棒状のものであって手で掴んで操作しやすい形状となっており、また、ロッド１１の鍔部１４を有する側とは他側の端部に設けてある軸１６で回転自在に取り付けてある。また、持手部材１３は、図１（ａ）の上図のように、起こした状態にあるときのパネル保持板２との当接部２３ａと軸１６との距離（Ｌ）に対し、倒したときの当接部２３ｂと軸１６との距離（Ｌ＋α）が長く形成してある（図１（ａ）の下図を参照）。これにより、ロック部材１２の被係合部１２ａは、図１（ｂ）のように、後述するパネル保持板２の筒状部材７の係合部８に係合した後、持手部材１３を一端側に倒したときに、軸１６からパネル保持板２との当接部２３ｂまでの距離（Ｌ＋α）は、持手部材１３を起こしたときの距離（Ｌ）に比べて長くなることにより、軸１６がパネル保持板２から離れる方向に移動し、これに伴って、持手部材１３を軸支するロッド１１が引き寄せられる。
【００１１】
パネル保持板２は、パネル２０と当接する略垂直なフラット面を有する略矩形状の金属板からなり、パネル保持板２の略中央下側部には、パネル保持板２の板厚方向（水平方向）に貫通する筒状部材７が設けてあり、筒状部材７の一端側の開口部には、溝状に切欠された係合部８と、係合部８よりも浅い溝状をなす初期係合部１８が設けてある。また、筒状部材７の筒孔には、筒孔１９を軸として回転自在なパネル保持具３が取り付けてある。また、側板６の一側面における長孔９の両側には、受け金具１０が取り付けてあり、受け金具１０は、凸状に形成してあるとともに、凸状の先端部には凹み１０ａが設けてある。このようにすることで、持手部材１３を回転して被係合部１２ａを係合部８に係合する位置にし、持手部材１３を倒したときに、ロック部材１２の被係合部１２ａが受け金具１０の凹み１０ａに嵌り込んで、ロック部材１２とパネル保持板２とで側板６を挟着した後のパネル保持板２の不意な回転を防止している（図１（ａ）の下図および（ｂ）参照）。
【００１２】
図２（ａ）〜（ｅ）は、パネル保持具３によりパネル保持板２をパネル保持台１に取り付けるときの手順を示すものである。図１（ａ）（ｂ）もあわせて参照すれば、第一の手順として、筒状部材７の初期係合部１８にロック部材１２の被係合部１２ａが係合して軽く保持された状態にあるパネル保持具３の持手部材１３を略水平に起こすとともに、筒状部材７の筒孔を軸としてロッド１１を水平軸回しに回転し、ロック部材１２の張り出し部１２ｂを垂直方向に長くなる向き（縦）に向かせる。第二の手順として、パネル保持具３の持手部材１３を掴んでパネル保持板２をパネル保持台１に近づけ、上記の段階で垂直方向に長くなる向きに回転させたロック部材１２をパネル保持台１に設けてある長孔９に挿通し、さらに、持手部材１３を下げて、長孔９に挿通した筒状部材７が長孔９の下端に当接するまで落とし込む。第三の手順として、パネル保持具３の持手部材１３を水平軸回しで回転し、ロック部材１２の張り出し部１２ｂを水平方向に長くなるようにして長孔９からの抜け出しを不能にするとともに、ロック部材１２の被係合部１２ａと筒状部材７の係合部８とが係合し、持手部材１３を略水平な状態に保持する。第四の手順として、持手部材１３をパネル保持板２の側に倒すことで、パネル保持板２を挟んだ持手部材１３の側にロッド１１が引き寄せられてパネル保持板２がロック部材１２とパネル保持台１とで挟着される。以上の手順を経ることにより、パネル保持板２をパネル保持台１の側板６に取り付けることができる。
【００１３】
皿ばね（付勢部材）１５は、中央の孔にロッド１１を摺動自在に取り付けてあるもので、ロッド１１の一端側に設けてある鍔部１４とロック部材１２との間に挟まってロック部材１２を緩衝しており、皿ばね（付勢部材）１５の付勢力によってパネル保持具３によるパネル保持板２を挟着する前の段階のゆるみが解消されるので、パネル保持具３の操作性の向上を図っている。
【００１４】
本発明の搬送パレットは、上記実施形態では引寄部材としてロッド１１について説明したが、持手部材１３を倒したときにロック部材１２をパネル保持板２側に引き寄せられるものであればよく、ワイヤやエアシリンダなどでロック部材１２を引き寄せてもよい。また、ロック部材１２や持手部材１３の形状を限定するものではない。また、筒状部材７の初期係合部１８は、パネル保持板２をパネル保持台１に取り付ける前の段階において、パネル保持板２に回転自在に挿通してあるロッド１１の回り止めとして機能することから、必ずしも設けなくてもよい。また、付勢部材についても、上記実施形態では皿ばね１５を使用しているが、コイルばね他、ロッド１１の鍔部１４とロック部材１２との間に挟まって付勢力を付与できるものであればよい。
【符号の説明】
【００１５】
１  パネル保持台
２  パネル保持板
３  パネル保持具
６  側板
７  筒状部材
８  係合部
９  長孔
１１  ロッド（引寄部材）
１２  ロック部材
１２ａ  被係合部
１２ｂ  張り出し部
１３  持手部材
１５  皿ばね（付勢部材）
【図１】
0005939748.tif 000002
【図２】
0005939748.tif 000003
【図３】
0005939748.tif 000004
【図４】
0005939748.tif 000005